(57)【特許請求の範囲】
【請求項１】
光情報記憶装置であって、
ベースを有するハウジングと；
前記ハウジング内に回転可能に収容されたランド及びグルーブからなる記録面を有する光記録媒体に対して光ビームを照射するための前記ベースに取り付けられた光源と；
前記光源からの光を前記光記録媒体の記録面に集光する対物レンズを有する光学ヘッドと；
前記光記録媒体からの反射光から再生信号を検出する前記ベースに取り付けられた光検出器と；
前記光記録媒体からの反射光が通過する光路中に、前記ランドからの信号を検出するのに必要な第１の位相補償量を反射光に与える第１位置と、前記グルーブからの信号を検出するのに必要な第２の位相補償量を反射光に与える第２位置との間で該光路に直交する軸の回りに回動可能に設けられた位相板と；
前記位相板の傾き角を制御して傾きに対応した位相差を得る為に前記位相板を該光路に直交する軸の回りに回動駆動する駆動手段と、
を備えたことを特徴とする光情報記憶装置。
【請求項２】
光ビームが追従中のトラックがランドの場合には、前記駆動手段に第１制御信号を供給して前記位相板を前記第１位置に回動し、光ビームが追従中のトラックがグルーブの場合には、前記駆動手段に第２制御信号を供給して前記位相板を前記第２位置に回動する制御手段を更に具備した請求項１記載の光情報記憶装置。
【請求項３】
前記駆動手段が取り付けられた固定フレームと；
前記位相板が固定され、前記固定フレームに回動可能に取り付けられたハウジングとを更に具備し；
前記駆動手段は前記ハウジングに一端が係合したプランジャーと；
前記プランジャーの他端が連結され、前記固定フレームに搭載されたソレノイドと；
前記プランジャーに取り付けられ、該プランジャーを伸長する方向に付勢するコイルバネとを具備した請求項２記載の光情報記憶装置。
【請求項４】
前記位相板が固定されたハウジングを更に具備し；
前記駆動手段はモータから構成され、前記ハウジングは前記モータの出力軸に固定されている請求項２記載の光情報記憶装置。
【請求項５】
前記ハウジング及び前記モータの一方に取り付けられた磁石と；
前記ハウジング及び前記モータの他方に取り付けられたホール素子とを更に具備し；
前記ホール素子が前記磁石を検出すると前記制御手段が前記駆動手段に第３制御信号を供給して、前記位相板を前記第１位置と前記第２位置との間の第３位置に停止させるようにした請求項４記載の光情報記憶装置。
【発明の詳細な説明】
【０００１】
【発明の属する技術分野】
本発明は、一般的に光情報記憶装置に関し、特に、記録媒体上に形成されたランド及びグルーブの双方に光信号を記録し、再生する光情報記録再生装置に関する。
【０００２】
【従来の技術】
光ディスクは近年急速に発展するマルチメディア化の中で中核となるメモリ媒体として脚光を浴びており、通常カートリッジの中に収容された状態で使用される。
【０００３】
光ディスクカートリッジが光ディスク装置内にローディングされ、光ピックアップ（光学ヘッド）により光ディスクへのデータ（情報）のライト／リードが行なわれる。
【０００４】
最近の光ディスク装置は小型化を実現するため、レーザダイオードモジュール、レーザビームの反射及び透過を行なうビームスプリッタ、光ディスクからの反射光を受光する光検出器等を含んだ固定光学アセンブリと、キャリッジ及びキャリッジに取り付けられた対物レンズを有する光学ヘッドを含んだ移動光学アセンブリとから構成される。
【０００５】
キャリッジはボイスコイルモータにより一対のレールに沿って光ディスクの半径方向に移動される。固定光学アセンブリに取り付けられたレーザダイオードモジュールから出射されたライトパワーのレーザビームはコリメータレンズによりコリメートされた後偏光ビームスプリッタを透過し、光学ヘッドのビーム立ち上げミラーにより反射されて対物レンズにより光ディスク上にフォーカスされ、光ディスクにデータが書き込まれる。
【０００６】
一方、データの読み出しは、光ディスクにリードパワーのレーザビームを照射することにより行なわれる。光ディスクからの反射光は対物レンズによりコリメートビームにされた後、固定光学アセンブリの偏光ビームスプリッタにより反射され、この反射光が光検出器で検出されて電気信号に変換される。
【０００７】
光ディスクの基板上には、照射されるレーザビーム案内用のグルーブが同心円状又はらせん状に形成されている。隣接するグルーブの間の平坦部はランドと呼ばれる。
【０００８】
従来の一般的な光ディスクにおいては、ランドあるいはグルーブの一方を記録トラックとして情報を記録している。しかし、最近ではランド及びグルーブの双方を記録トラックとし、トラックピッチを狭めることで記録密度の向上を図ることが重要な技術課題となっており、既に様々な方式が提案されている。
【０００９】
【発明が解決しようとする課題】
光ディスク装置の一種である光磁気ディスク装置においては、光磁気ディスクにリードパワーのレーザビームを照射し、反射光のＰ偏光成分及びＳ偏光成分を従来よく知られた方法で差動検出することにより、光磁気信号が再生される。
【００１０】
このように反射光のＰ偏光成分及びＳ偏光成分を差動検出して、光磁気信号を最適に再生することが必要である。個々の光磁気ディスク装置においては、その光学部品の特性差により、反射光のＰ偏光成分とＳ偏光成分との間の位相差が異なる。また、媒体の種類が異なると、同様に位相差は異なる。
【００１１】
図１は６４０メガバイト（ＭＢ）及び１．３ＧＢの光磁気ディスク装置における位相差とキャリア対ノイズ比（ＣＮＲ）の関係を示すグラフである。６４０ＭＢ及び１．３ＧＢの光磁気ディスクとも、ＣＮＲが最大となる位相差が存在することが図１から観察される。
【００１２】
本図では、高密度である１．３ＧＢの光磁気ディスクのほうがＣＮＲが位相差に鈍感になっているが、１．３ＧＢの光磁気ディスクはＭＯ信号のうねりが大きいという問題がある。
【００１３】
図２は位相差とＭＯうねり／ＭＯ振幅との関係を示すグラフである。ＭＯうねりとは、ＭＯ信号のディスク１回転のエンベロープがうねることをいう。ＭＯうねりが図３に示されている。
【００１４】
ＭＯうねりがあると、ＭＯ信号をあるスライスレベルで切った際にジッタが悪くなり、好ましくない。図２から明らかなように、１．３ＧＢの光ディスクは位相差の変化に応じてＭＯうねりが急峻に変わるため、最適な再生信号品質を得るためにはやはり位相差の調整が必要である。
【００１５】
また、ランド及びグルーブの双方に情報を記録する磁気ディスク装置においては、ビームスポット径に比べトラック幅が狭くなるため、隣接トラックからのクロストークの影響を大きく受けるようになる。
【００１６】
このようにランド／グルーブ記録方式においては、隣接するグルーブ又はランドからの反射光成分が増加してこれに伴う位相差が生じ、再生光の偏光状態が変化するために光磁気記録媒体から情報を良好に再生することができないという問題がある。
【００１７】
図４はランド及びグルーブ再生の際の位相差とＣＮＲの関係を示すグラフである。図４から明らかなように、ランド又はグルーブの再生時では、位相差の変化に応じて異なるＣＮＲが得られ、それぞれ最大のＣＮＲを与える最適な位相差が存在することがわかる。このため、ランド及びグルーブ個々において、再生光の偏光成分の位相補償を行ない、Ｐ偏光成分とＳ偏光成分との間の最適な位相差を得る必要がある。
【００１８】
例えば、特開平９−２８２７３０号、特開平９−２８２７３３号及び特開平１０−１３４４４４号等では、再生時における偏光成分の位相差をランド及びグルーブで切り替える発明が開示されているが、光学系が複雑であるという問題がある。
【００１９】
よって、本発明の目的は、比較的簡単で安価な光学系により、情報の再生時にランド及びグルーブ個々に異なる位相補償を施して、情報を良好に再生可能な光情報記憶装置を提供することである。
【００２０】
【課題を解決するための手段】
本発明によると、光情報記憶装置であって、ベースを有するハウジングと；前記ハウジング内に回転可能に収容されたランド及びグルーブからなる記録面を有する光記録媒体に対して光ビームを照射するための前記ベースに取り付けられた光源と；前記光源からの光を前記光記録媒体の記録面に集光する対物レンズを有する光学ヘッドと；前記光記録媒体からの反射光から再生信号を検出する前記ベースに取り付けられた光検出器と；前記光記録媒体からの反射光が通過する光路中に、前記ランドからの信号を検出するのに必要な第１の位相補償量を反射光に与える第１位置と、前記グルーブからの信号を検出するのに必要な第２の位相補償量を反射光に与える第２位置との間で該光路に直交する軸の回りに回動可能に設けられた位相板と；前記位相板の傾き角を制御して傾きに対応した位相差を得る為に前記位相板を該光路に直交する軸の回りに回動駆動する駆動手段と、を備えたことを特徴とする光情報記憶装置が提供される。
【００２１】
好ましくは、光情報記憶装置は更に、再生中のトラックがランドの場合には、駆動手段に第１制御信号を供給して位相板を第１位置に回動し、再生中のトラックがグループの場合には、駆動手段に第２制御信号を供給して位相板を第２位置に回動する制御手段を具備している。
【００２２】
位相板はハウジングに固定されており、このハウジングは回動軸回りにソレノイド、リバーシブルＤＣモータ、ボイスコイルモータ等の駆動手段により回動される。
【００２３】
位相板を第１位置及び第２位置に停止させるために、第１ストッパー及び第２ストッパーが設けられている。好ましくは、第１ストッパー及び第２ストッパーは調整可能である。
【００２４】
駆動手段としてリバーシブルＤＣモータを採用した場合には、磁石とホール素子の組み合わせにより位相板の第１位置と第２位置の間の第３位置を検出可能である。
【００２５】
また、駆動手段としてボイスコイルモータを採用した場合には、位相板を第１位置と第２位置の間の任意の位置で停止させることができるため、所望の位相差を容易に実現することができる。これにより、装置組立時の調整をしない場合にも、装置状態で任意の位相差を実現できる。
【００２７】
【発明の実施の形態】
図５を参照すると、本発明の位相補償機構を具備した光磁気ディスク装置１０の上面側外観斜視図が示されている。図６は光磁気ディスク装置１０の背面側斜視図である。
【００２８】
この光磁気ディスク装置１０には、光磁気ディスクがカートリッジ内に収納された光磁気ディスクカートリッジ１４が挿入され、光磁気ディスク装置１０はこの光磁気ディスクカートリッジ１４内の光磁気ディスクに対して情報の読み／書きを行なう。
【００２９】
光磁気ディスク装置１０内には光磁気ディスクカートリッジ１４のロード／イジェクト機構、光磁気ディスクを回転させるスピンドルモータ、バイアス磁界発生機構、ポジショナ、光学ヘッド及び固定光学系が内蔵されている。光磁気ディスクカートリッジ１４は光磁気ディスク装置１０の挿入口１２から光磁気ディスク装置１０内に挿入される。
【００３０】
図７はカートリッジ挿入口から光磁気ディスクカートリッジ１４が挿入された直後の状態を示す平面図である。ドライブベース２２上に装置内に挿入された光磁気ディスクカートリッジ１４を収容するカートリッジホルダ２４が取り付けられている。
【００３１】
カートリッジホルダ２４にガイド溝２６が形成されている。ガイド溝２６はカートリッジの挿入口１２の端部から内側に向かって斜めに形成され、途中から曲げられて光磁気ディスク装置１０の長手方向に平行になっている。
【００３２】
ガイド溝２６には第１のスライダ２８と第２のスライダ３０が摺動可能に嵌め込まれている。第２のスライダ３０は図示しないバネで第１のスライダ２８と連絡されており、第１のスライダ２８の移動に伴って装置の奥側へ移動していく。
【００３３】
光磁気ディスクカートリッジ１４がカートリッジ挿入口１２から光磁気ディスク装置１０内に挿入されると、光磁気ディスクカートリッジ１４のシャッター１８に取り付けられたシャッター開アーム２０の端部２０ａに第１のスライダ２８が当接する。
【００３４】
この状態から光磁気ディスクカートリッジ１４が押されて光磁気ディスク装置１０の中に挿入されていくと、挿入されるにつれて第１のスライダ２８が内側に移動し、この第１のスライダ２８の移動によってシャッター開アーム２０が押され、シャッター１８が開いていく。
【００３５】
ドライブベース２２には一対の磁気回路３４、一対のガイドレール３６、半導体レーザ及び光検出器等を有する固定光学系３８、スピンドルモータ４０等が搭載されている。符号４２は対物レンズを有する光学ヘッド４４を担持したキャリッジであり、磁気回路３４に対応する位置に一対のコイル４６を具備している。
【００３６】
磁気回路３４とコイル４６とでボイスコイルモータ（ＶＣＭ）が構成され、コイル４６に電流を流すと、キャリッジ４２が一対のガイドレール３６に案内されて光磁気ディスク１６の半径方向に移動する。
【００３７】
符号４８はバイアス磁界発生機構であり、光学ヘッド４４の移動範囲をカバーするようにカートリッジホルダ２４に取り付けられている。
【００３８】
図８を参照すると、本発明実施形態の光磁気ディスク装置の光学系の平面図が示されている。図９は図８の右側面図であり、図１０は図８の正面図である。半導体レーザ５０から出射したレーザビームはコリメータレンズ５２により平行光に変換され、偏光ビームスプリッタ５４に入射する。
【００３９】
偏光ビームスプリッタ５４の透過特性及び反射特性は、例えば、Ｐ偏光成分及びＳ偏光成分に対する透過率をそれぞれＴｐ，Ｔｓとし、Ｐ偏光成分及びＳ偏光成分に対する反射率をそれぞれＲｐ，Ｒｓとすると、Ｔｐ：Ｒｐ＝８０：２０，Ｔｓ：Ｒｓ＝２：９８に設定されている。
【００４０】
偏光ビームスプリッタ５４の透過特性に従って偏光ビームスプリッタ５４を透過したレーザビームは、光学ヘッド４４のビーム立ち上げミラー５６で反射されて、対物レンズ５８により光磁気ディスク１６へフォーカスされる。
【００４１】
光磁気ディスク１６のレーザ照射箇所には、対物レンズ５８と反対側より図７に示したバイアス磁界発生機構４８により一定方向にバイアス磁界が掛けられているので、レーザ照射により光磁気ディスク１６上に記録マークが形成される。
【００４２】
再生時には、記録時より弱いパワーのレーザビームを光磁気ディスク１６に照射し、記録マークで反射された反射光の偏光面の向きを検出する。反射光は光磁気ディスク１６から対物レンズ５８、ビーム立ち上げミラー５６と逆行し、偏光ビームスプリッタ５４の反射特性に従って偏光ビームスプリッタ５４により反射されて、本発明の特徴である後述する位相補償ユニットを取り付ける位相補償ユニット取付スペース６０を通過し、第１のビームスプリッタ６２で２つに分岐される。
【００４３】
第１のビームスプリッタ６２で反射されたレーザビームはウオラストンプリズム６４を透過後、集光レンズ６６により光磁気信号（ＭＯ信号）検出用の２分割フォトディテクタ６８に集光される。
【００４４】
一方、第１のビームスプリッタ６２を透過したレーザビームは、集光レンズ７０を透過後、第２のビームスプリッタ７２で更に２つに分岐され、それぞれフォーカスエラー検出用の４分割フォトディテクタ７６及びトラッキングエラー検出用の２分割フォトディテクタ７８に導かれる。
【００４５】
本実施形態では、フォーカスエラーはナイフエッジ法、トラッキングエラーはプッシュプル法を用いている。符号７４はナイフエッジである。
【００４６】
本実施形態では、位相補償ユニット取付スペース６０に後述する位相補償ユニットを挿入し、光磁気ディスク１６で反射されたレーザビームの位相補償を行なう。
【００４７】
市販されている３．５インチ光磁気ディスク装置の場合、プリント配線板を収容する回路スペース８０を考慮して、１３ｍｍ立方角位の位相補償ユニット取付スペース６０が使用可能である。
【００４８】
図１１は本発明の位相補償の原理図を示している。１／２波長板等の位相板８２にレーザビームを照射すると、レーザビームのＺ軸成分（Ｓ偏光成分）とＸ軸成分（Ｐ偏光成分）に位相差Δが生じ、Δは位相板８２の厚みｄと、Ｚ軸及びＹ軸方向の屈折率ｎｚ，ｎｘの関数であり、以下のように表される。
【００４９】
位相差Δ＝２π（ｎｚ−ｎｘ）ｄ／λ
更に位相板８２を傾けるとその厚みｄが変化するため、位相差Δも変化する。以下に説明する各実施形態は全て、この原理を使用している。
【００５０】
第１２図は位相板の傾き角θと位相差Δの関係を計算で求めた結果である。位相板として水晶を採用した場合、位相板の傾き角０°〜＋２５°で位相差０°〜＋１８０°を得ることができる。以下の各実施形態は、位相板の傾き角０°〜＋３２°を想定した実施形態である。
【００５１】
また、位相板としてリチウムナイオベート（ＬｉＮｂＯ３）を採用した場合には、位相板の傾き角０°〜＋１０°で位相差０°〜−１８０°を得ることができる。
【００５２】
図１３は他の位相板の傾き角と位相差の関係を示すグラフであり、この位相板は水晶から形成されている。この位相板を使用すると、位相板傾き角０°〜＋３０°で、位相差−２０°〜＋１８０°までをカバーすることができる。
【００５３】
図１４を参照すると、本発明第１実施形態の位相補償ユニット８４Ａの正面図が示されている。図１５は第１実施形態の側面図であり、図１６は第１実施形態の斜視図、図１７はその分解斜視図である。この位相補償ユニット８４Ａは図８に示した位相補償ユニット取付スペース６０部分に取り付けられる。
【００５４】
主に図１７を参照すると、例えば水晶の一軸結晶からなる位相板８６は樹脂製ハウジング８８の穴８８ａ中に嵌め込まれ、更に接着剤によりハウジング８８に固定される。ハウジング８８の貫通穴８８ｂにシャフト９４が圧入され、Ｃリング９６によりハウジング８８は鉄製フレーム９０に回動可能に取り付けられる。
【００５５】
ソレノイド９８は磁気回路を含む本体部９８ａと、Ｔ形状プランジャー９８ｂと、Ｔ形状プランジャー９８ｂに取り付けられたコイルバネ９８ｃとから構成され、本体部９８ａが接着等によりフレーム９０に固定されている。Ｔ形状プランジャー９８ｂはハウジング８８のＵ形状切込部８８ｃに勘合されている。
【００５６】
フレーム９０はディスク１６により反射されたレーザビームが通過する穴９２と、一対のネジ穴９０ａ，９０ｂを有している。フレーム９０のネジ穴９０ａ，９０ｂにはネジ１００，１０２がそれぞれ螺合されており、それぞれが解放側ストッパー、吸引側ストッパーとして作用する。
【００５７】
通常はコイルバネ９８ｃの付勢力でプランジャー９８ｂは伸長され、ハウジング８８の上端部がネジ１００に当接している。このとき、位相板８６は反射ビームの光路に対して概略垂直となっている。
【００５８】
ソレノイド本体９８ａに直流電圧（＋５Ｖ）を印加すると、コイルバネ９８ｃの付勢力に打ち勝ってプランジャー９８ｂが吸引され、ハウジング８８は回動中心回りに回動してその下端部がネジ１０２に当接する。
【００５９】
プランジャー９８ｂはハウジング８８のＵ形状切込部８８ｃに勘合されているので、ソレノイド本体９８ａへの電圧印加に伴い、位相板８６は矢印１０４方向に回転し、位相板８６の傾きに対応したＰ偏光成分とＳ偏光成分との間の位相差を得ることができる。
【００６０】
上述したように、フレーム９０にはネジ１００，１０２が取り付けられており、それぞれがハウジング８８の解放側ストッパー、吸引側ストッパーとなっている。ネジ１００，１０２の送り量を調整すれば、プランジャー９８ｂのストローク範囲内にて、位相板８６の傾き角を任意に変えることができる。
【００６１】
ランドトラック及びグルーブトラックの再生における最適な位相差を与えるように、位相板８６の傾き角をネジ１００，１０２で調整すれば、ソレノイド９８への電圧オン・オフで、ランドトラック再生時及びグルーブトラック再生時のそれぞれに最適な位相補償を反射ビームに与えることができる。例えば、ハウジング８８がネジ１００に当接した位置をランドトラック再生時、ネジ１０２に当接した位置をグルーブトラック再生時とする。
【００６２】
ソレノイド９８はＭＰＵ等の制御回路９９に接続されており、制御回路９９は光磁気ディスク１６上のアドレスやトラッキングエラー信号の極性等から、再生中のトラックがランドであるかグルーブであるかを判別し、ランド又はグルーブを示す制御信号をソレノイド９８に供給する。
【００６３】
これにより、再生中のトラックがランドであるかグルーブであるかに応じて位相板８６を回動することができ、それぞれのトラック再生時に最適な位相補償量を反射ビームに与えることができる。
【００６４】
ストッパーとしてのネジ１００，１０２は、個々の装置組立時にランドトラック再生時及びグルーブトラック再生時の個々に最適な位相補償量を与えるように微調整するためにも使用できる。
【００６５】
また、ランドトラック再生及びグルーブトラック再生で最適位相補償量が同じ場合は、ソレノイド９８による位相板８６の吸引時をこの位相点とし、ソレノイド９８の解放時を位相差０の点とすることで、従来の位相補償を必要としない記録ディスクへも対応でき、より高い下位互換性を実現することができる。
【００６６】
図１８を参照すると、本発明第１実施形態の位相補償ユニットの変形例８４Ａ´が示されている。この変形例では、位相板８６を予めハウジング８８´に対して傾けて取り付ける。
【００６７】
ソレノイド９８が解放位置のとき、ハウジング８８´はコイルバネ９８ｃの付勢力により反時計回り方向に回動し、その先端部がストッパーとしてのネジ１００´に当接する。このとき位相板８６は反射ビームの光路に対して概略垂直となる。
【００６８】
ソレノイド９８を励磁すると、ハウジング８８´は時計回り方向に回動し、その下端部がストッパーとしてのネジ１０２´に当接する。ソレノイド９８への電圧オン・オフに伴い、位相板８６は矢印１０６方向に回動し、位相板８６に傾きに対応した位相差を得ることができる。
【００６９】
このように本変形例の位相補償ユニット８４Ａ´では、位相板８６を予めハウジング８８´に対して傾けて取り付けているため、ハウジング８８´の振り角を左右対称とすることができる。
【００７０】
図１９を参照すると、本発明第２実施形態の位相補償ユニット８４Ｂの正面図が示されている。図２０は第２実施形態の右側面図であり、図２１は第２実施形態の斜視図、図２２はその分解斜視図である。この位相補償ユニット８４Ｂは図８に示した位相補償ユニット取付スペース６０に取り付けて使用される。
【００７１】
主に図２２を参照すると、位相板８６は樹脂製ハウジング１０８の穴１０８ａに嵌め込まれ、接着剤によりハウジング１０８に固定される。ハウジング１０８は貫通穴１０８ｂを有しており、リバーシブルＤＣモータ１１０のシャフト１１２がこの貫通穴１０８ｂに圧入され、ハウジング１０８がモータ１１０のシャフト１１２に取り付けられる。ＤＣモータ１１０への電圧印加に伴い、位相板８６は図１９の矢印１２２方向に回動し、傾きに対応した位相差を得ることができる。
【００７２】
ＤＣモータ１１０の側面にはストッパー１１４，１１６が接着等により固定されており、ＤＣモータ１１０に印加する電圧の極性を変え、ハウジング１０８をストッパー１１４，１１６に突き当てることにより、ランドトラック及びグルーブトラックのそれぞれの再生に最適な位相補償量を反射ビームに与えることができる。第１実施形態と同様に、ストッパー１１４，１１６の位置を調整してＤＣモータ１１０に固定することにより、装置個々において所望の最適位相補償量を実現できる。
【００７３】
図１９において、矢印１２４は反射ビームの光路方向を示しており、ハウジング１０８がストッパー１１６に当接したとき位相板８６が反射ビームの光路に概略垂直となるように位相補償ユニット８４Ｂを図８の位相補償ユニット取付スペース６０に取り付ける。
【００７４】
第１実施形態と同様に、ＤＣモータ１１０はＭＰＵ等の制御回路９９に接続されており、制御回路９９は光磁気ディスク１６上のアドレスやトラッキングエラー信号の極性等から、再生中のトラックがランドであるかグルーブであるかを判別し、ランド又はグルーブを示す制御信号をＤＣモータ１１０に供給する。
【００７５】
これにより、再生中のトラックがランドであるかグルーブであるかに応じて、反射ビームに最適位相補償量を与えるように位相板８６を回動することができる。
【００７６】
また、ハウジング１０８に磁石１１８を取り付け、ＤＣモータ１１０にホール素子１２０を取り付けて、磁石１１８の位置をホール素子１２０で検出することにより、ランド及びグルーブの他にもう１つの位相点を選択することができる。
【００７７】
この、もう１つの位相点と、ストッパー１１４，１１６の３点中の１点を位相差０の点とすることで、第１実施形態と同様により高い下位互換性を実現できる。
【００７８】
図２３を参照すると、第２実施形態の位相補償ユニットの変形例８４Ｂ´が示されている。本変形例の位相補償ユニット８４Ｂ´は、位相板８６を予めハウジング１０８´に傾けて取り付け、ハウジング１０８´の振り角を左右対称としたものである。
【００７９】
ハウジング１０８´がストッパー１１６に当接したとき、位相板８６は矢印１２４で示す反射ビームの光路に概略垂直となる。ＤＣモータ１１０を駆動すると、位相板８６は矢印１２６方向に回動する。
【００８０】
図２４を参照すると、本発明第３実施形態の位相補償ユニット８４Ｃの正面図が示されている。図２５は第３実施形態の右側面図であり、図２６は斜視図、図２７は分解斜視図である。この位相補償ユニット８４Ｃは図８に示した位相補償ユニット取付スペース６０に取り付けられて使用される。
【００８１】
主に図２７を参照すると、位相板８６は樹脂製ハウジング１２８の穴１２８ａに嵌め込まれ、接着剤で固定される。このとき、図２４に示すように、位相板８６は予め樹脂製ハウジング１２８に対して傾けて取り付けられる。
【００８２】
ハウジング１２８は貫通穴１２８ｂを有しており、その下部にはコイル１３０が埋め込まれている。ハウジング１２８の貫通穴１２８ｂにシャフト１３２が圧入され、Ｃリング１３８によりハウジング１２８は鉄製等の磁性フレーム１３４，１３６に回動可能に取り付けられる。
【００８３】
フレーム１３４に永久磁石１４０が接着固定されている。ヨークとして作用するフレーム１３４，１３６と磁石１４０により磁気回路を形成する。コイル１３０とフレーム１３４，１３６及び磁石１４０からなる磁気回路によりボイスコイルモータ（ＶＣＭ）が構成され、コイル１３０に電流を流すと位相板８６は回動中心回りに回動する。
【００８４】
フレーム１３４，１３６にはストッパー１４２，１４４がＣリング１４６により固定されている。ストッパー１４２と１４４は同一構造をしており、それぞれ樹脂製ポール１５０にシャフト１４８が偏心して圧入されている。
【００８５】
シャフト１４８の先端にはすりわり部１４８ａが切られており、すりわり部１４８ａにマイナスのスクリュードライバを差し込み、ストッパー１４２，１４４を回転させて上述した各実施形態と同様に、ランドトラック及びグルーブトラックの再生における最適な位相補償量を与えるように調整できる。
【００８６】
図２５に示すように、コイル１３０はＭＰＵ等の制御回路９９に接続されている。制御回路９９は光磁気ディスク１６上のアドレスやトラッキングエラー信号の極性等から、再生中のトラックがランドであるかグルーブであるかを判別し、ランド又はグルーブを示す制御信号をコイル１３０に供給する。
【００８７】
これにより、再生中のトラックがランドであるかグルーブであるかに応じて、位相板８６を回動し、ランドトラック再生及びグルーブトラック再生時にそれぞれ最適な位相補償量を与えることができる。
【００８８】
本実施形態では、上述したストッパー１４２，１４４へのハウジング１２８の突き当てによるランド・グルーブの位相切り替えの他、コイル１３０に流す電流を制御することにより位相板８６を所望の角度で停止させることができるため、所望の位相差を実現できる。これにより、位相補償ユニット８４Ｃの組立時に調整をしなくても、装置に組み込んだ後で任意の位相差を実現できる。
【００８９】
図２８は第３実施形態の位相補償ユニットの変形例８４Ｃ´の正面図を示しており、図２９はその右側面図である。本変形例の位相補償ユニット８４Ｃ´では、位相板８６が樹脂製ハウジング１２８´に傾けずに取り付けられている。そして、ストッパー１５６，１５８がフレーム１３４，１３６の下部部分に取り付けられている。
【００９０】
本変形例においては、ハウジング１２８´がストッパー１５６に当接したとき、位相板８６が矢印１６０で示す反射ビームの光路に概略垂直となるように、位相補償ユニット８４Ｃ´が図８に示した位相補償ユニット取付スペース６０に取り付けられて使用される。コイル１３０に電流を流すと、位相板８６は矢印１６２方向に回動する。
【００９１】
上述した第１乃至第３実施形態とも、位相板、切替機構、調整機構を備えた位相補償ユニットとなっているので、３．５インチ光磁気ディスク装置に限らず、本発明は５インチ光磁気ディスク装置、ディジタルビデオディスク装置（ＤＶＤ）等、他のランド・グルーブ記録再生装置へも適用可能である。
【００９２】
【発明の効果】
本発明は以上詳述したように構成したので、比較的簡単で安価な光学系により、ランドトラック及びグルーブトラックの再生に応じてそれぞれ最適な位相補償量を与えることができ、再生信号品質を向上することができる。
【図面の簡単な説明】
【図１】６４０ＭＢ媒体及び１．３ＧＢ媒体における位相差に対するＣＮＲを示すグラフである。
【図２】６４０ＭＢ媒体及び１．３ＧＢ媒体における位相差に対するＭＯうねり／ＭＯ振幅の関係を示すグラフである。
【図３】ＭＯうねりを示す図である。
【図４】ランドトラック再生時及びグルーブトラック再生時の位相差に対するＣＮＲの関係を示すグラフである。
【図５】本発明の位相補償ユニットを組み込んだ光磁気ディスク装置の上面側外観斜視図である。
【図６】光磁気ディスク装置の背面側外観斜視図である。
【図７】光磁気ディスク装置への光磁気ディスクカートリッジの挿入状態を示す平面図である。
【図８】光磁気ディスク装置の光学系を示す平面図である。
【図９】図８の右側面図である。
【図１０】図８の正面図である。
【図１１】本発明の位相補償の原理図である。
【図１２】位相板傾き角と位相差の関係を示すグラフである。
【図１３】他の位相板傾き角と位相差の関係を示すグラフである。
【図１４】本発明第１実施形態の位相補償ユニットの正面図である。
【図１５】第１実施形態の位相補償ユニットの側面図である。
【図１６】第１実施形態の位相補償ユニットの斜視図である。
【図１７】第１実施形態の位相補償ユニットの分解斜視図である。
【図１８】第１実施形態の位相補償ユニットの変形例を示す図である。
【図１９】本発明第２実施形態の位相補償ユニットの正面図である。
【図２０】第２実施形態の位相補償ユニットの側面図である。
【図２１】第２実施形態の位相補償ユニットの斜視図である。
【図２２】第２実施形態の位相補償ユニットの分解斜視図である。
【図２３】第２実施形態の位相補償ユニットの変形例を示す図である。
【図２４】本発明第３実施形態の位相補償ユニットの正面図である。
【図２５】第３実施形態の位相補償ユニットの側面図である。
【図２６】第３実施形態の位相補償ユニットの斜視図である。
【図２７】第３実施形態の位相補償ユニットの分解斜視図である。
【図２８】第３実施形態の位相補償ユニットの変形例正面図である。
【図２９】第３実施形態の位相補償ユニットの変形例側面図である。
【符号の説明】
１０  光磁気ディスク装置
１４  光磁気ディスクカートリッジ
２２  ドライブベース
２４  カートリッジホルダ
３８  固定光学系
４４  光学ヘッド
５０  半導体レーザ
５４  偏光ビームスプリッタ
５８  対物レンズ
６０  位相補償ユニット取付スペース
６２，７２  ビームスプリッタ
６８，７６，７８  フォトディテクタ
８４Ａ，８４Ｂ，８４Ｃ  位相補償ユニット
８６  位相板
９８  ソレノイド
１１０  ＤＣモータ
１３０  コイル
１４０  永久磁石
【図１】
0003558918.tif 000002
【図２】
0003558918.tif 000003
【図３】
0003558918.tif 000004
【図４】
0003558918.tif 000005
【図５】
0003558918.tif 000006
【図６】
0003558918.tif 000007
【図７】
0003558918.tif 000008
【図８】
0003558918.tif 000009
【図９】
0003558918.tif 000010
【図１０】
0003558918.tif 000011
【図１１】
0003558918.tif 000012
【図１２】
0003558918.tif 000013
【図１３】
0003558918.tif 000014
【図１４】
0003558918.tif 000015
【図１５】
0003558918.tif 000016
【図１６】
0003558918.tif 000017
【図１７】
0003558918.tif 000018
【図１８】
0003558918.tif 000019
【図１９】
0003558918.tif 000020
【図２０】
0003558918.tif 000021
【図２１】
0003558918.tif 000022
【図２２】
0003558918.tif 000023
【図２３】
0003558918.tif 000024
【図２４】
0003558918.tif 000025
【図２５】
0003558918.tif 000026
【図２６】
0003558918.tif 000027
【図２７】
0003558918.tif 000028
【図２８】
0003558918.tif 000029
【図２９】
0003558918.tif 000030